(57)【要約】【課題】墓誌プレートの状態変更（破損修理、追加、並び替え、一部撤去等）が容易に行える差込式墓誌の提供。【解決手段】差込式墓誌Ａは、墓誌台１１の左右に載置される墓誌下駄１、１と、下部を受部１２に嵌合し、墓誌台１１に嵌着される墓誌板２と、下縁端部表面２２に背面３０を固着し、Ｌ字内側を保持部としたレール石板３と、下向凹溝４１内に墓誌板２の上端面を固着した屋根石４と、上隙間４３と下隙間３２とにより形成されるプレート収納部５１へ、収納部挿入口５０から差し込まれる墓誌プレート５と、収納部挿入口５０を塞ぐプレート止石板６とを具備し、墓誌プレート５の状態変更を行う場合には、プレート止石板６を外して状態変更を行い、状態変更を行った後に再びプレート止石板６で塞ぐ。【選択図】図１
2006183348.tif 000002
【特許請求の範囲】
【請求項１】
凹状の受部を有し、墓誌台の左右に載置される二基の墓誌下駄と、
下部を各受部に嵌合し、前記墓誌下駄に支持される板状の墓誌板と、
墓誌板下方の板表面に背面を固着し、Ｌ字内側を保持部とした断面Ｌ字状のレール石板と、
溝幅が前記墓誌板の板厚より幅広の下向凹溝を下面に設け、この下向凹溝内に前記墓誌板の上部を遊嵌した屋根石と、
前記墓誌板の上縁端部表面と下向凹溝内壁面との間の上隙間と、前記墓誌板の下縁端部表面と保持部垂直面との間の下隙間とにより形成されるプレート収納部へ、収納部挿入口から差し込まれる板状の墓誌プレートと、
左右の収納部挿入口を塞ぐ二枚のプレート止石板とからなる差込式墓誌。
【請求項２】
凹状の受部を有し、墓誌台の左右に載置される二基の墓誌下駄と、
下部を各受部に嵌合し、前記墓誌下駄に支持される板状の墓誌板と、
墓誌板下方の板表面および板裏面に、それぞれ背面および前面を固着し、Ｌ字内側を保持部とした断面Ｌ字状の二枚のレール石板と、
溝幅が前記墓誌板の板厚より幅広の下向凹溝を下面に設け、この下向凹溝内に前記墓誌板の上部を遊嵌した屋根石と、
前記墓誌板の上縁端部表面と下向凹溝内壁面との間の前側上隙間と、前記墓誌板の下縁端部表面と保持部垂直面との間の前側下隙間とにより形成される前側プレート収納部、および前記墓誌板の上縁端部裏面と下向凹溝内壁面との間の後側上隙間と、前記墓誌板の下縁端部裏面と保持部垂直面との間の後側下隙間とにより形成される後側プレート収納部へ、前側収納部挿入口および後側収納部挿入口から差し込まれる板状の墓誌プレートと、
左右の前側収納部挿入口および左右の後側収納部挿入口を塞ぐ四枚のプレート止石板とからなる差込式墓誌。
【請求項３】
凹状の受部を有し、墓誌台の左右に載置される二基の墓誌下駄と、
板表面の中央に凹溝を横設するとともに、下部を各受部に嵌合し、前記墓誌下駄に支持される板状の墓誌板と、
墓誌板下方の板表面に背面を固着し、Ｌ字内側を保持部とした断面Ｌ字状の下方レール石板と、
墓誌板中央の前記凹溝に柱状部を嵌合し、Ｔ字内側を保持部とした断面Ｔ字状の中央レール石板と、
墓誌板上面に天板下面を当接し、Ｌ字内側を保持部とした断面Ｌ字状の上方レール石板と、
該上方レール石板の天板上面に載置される屋根石と、
前記墓誌板の上縁端部表面と前記上方レール石板の保持部垂直面との間の上段上隙間と、墓誌板表面と前記中央レール石板の保持部上側垂直面との間の上段下隙間とにより形成される上段側プレート収納部、および墓誌板表面と前記中央レール石板の保持部下側垂直面との間の下段上隙間と、前記墓誌板の下縁端部表面と前記下方レール石板の保持部垂直面との間の下段下隙間とにより形成される下段側プレート収納部へ、上段側収納部挿入口および下段側収納部挿入口から差し込まれる板状の墓誌プレートと、
左右の上段側収納部挿入口および左右の下段側収納部挿入口を塞ぐ四枚のプレート止石板とからなる差込式墓誌。
【発明の詳細な説明】
【技術分野】
【０００１】
本発明は、お墓の近傍に設置される墓誌に係わり、特に戒名等を記載した墓誌プレートを差し込むことができる差込式墓誌に関する。
【背景技術】
【０００２】
特許文献１には、スライド溝を介して所望枚数の短冊状薄板を出し入れ自在に配設せしめてなる墓誌碑が開示されている。
特許文献２には、脚部の遊嵌溝および天板の貫通溝に柱状体を着脱可能に収容してなる墓誌碑が開示されている。
特許文献３には、墓標本体の挿入開口（横側）から１枚の墓誌プレートを着脱自在に装着してなる墓標が開示されている。
特許文献４には、スライド溝を対向して設けた１組の縦框部に記名用平板部を嵌入した石材製墓誌が開示されている。
特許文献５には、墓誌本体に複数の領域を設け、この領域に故人の戒名を含む文字を彫り込み、その文字に隣接して故人に関係する絵を直接、凹凸状に彫り込んだ墓誌が開示されている。
【特許文献１】特開平３−８０８６１号公報
【特許文献２】特開２００３−２０６６４９号公報
【特許文献３】特開２００３−２１３９６９号公報
【特許文献４】特開平８−２８４４７８号公報
【特許文献５】特開２００１−６５２０３号公報
【発明の開示】
【発明が解決しようとする課題】
【０００３】
しかし、上記の技術は、下記に示す課題を有する。
特許文献１の墓誌碑は、背面側の有効に利用されないとともに、スライド溝に配設した短冊状薄板が持ち去られ易い。
特許文献２の墓誌碑は、柱状体を着脱したり向きを変える際に大重量の天板を外す必要があるので力作業が必要である。
特許文献３の墓標は、墓誌プレートの記載内容の追加は可能であるが、記載内容の一部削除や並び替えを行う場合には、墓誌プレートを丸ごと交換する必要がある。
特許文献４の石材製墓誌は、記載内容の追加は可能であるが、記載内容の一部削除や並び替えを行う場合には、記名用平板部を丸ごと交換する必要がある。
特許文献５の墓誌は、記載内容の追加は可能であるが、記載内容の一部削除や並び替えを行う場合には墓誌本体を丸ごと交換する必要がある。
【０００４】
本発明の第１の目的は、墓誌プレートの状態変更（破損修理、追加、並び替え、一部撤去等）が容易に行える差込式墓誌の提供にある。
本発明の第２の目的は、墓誌プレートの多数配置が可能であるとともに、これら墓誌プレートの状態変更（破損修理、追加、並び替え、一部撤去等）が容易に行える差込式墓誌の提供にある。
【課題を解決するための手段】
【０００５】
〔請求項１について〕
墓誌下駄（二基）は、凹状の受部を有し、墓誌台の左右に載置される。
墓誌板（板状）は、墓誌板下部を各受部に嵌合し、二基の墓誌下駄により支持される。  墓誌板下方の板表面に背面を固着したレール石板（断面Ｌ字状）は、Ｌ字内側を墓誌プレートの保持部としている。
【０００６】
屋根石は、溝幅が墓誌板の板厚より幅広の下向凹溝を下面に設け、この下向凹溝内に墓誌板の上部を遊嵌している。
墓誌プレート（板状）は、墓誌板の上縁端部表面と下向凹溝内壁面との間の上隙間と、墓誌板の下縁端部表面と保持部垂直面との間の下隙間とにより形成されるプレート収納部へ、収納部挿入口から差し込まれる。
左右の収納部挿入口は、墓誌プレートをプレート収納部へ差し込んだ後、二枚のプレート止石板により塞がれる。
【０００７】
墓誌プレートの破損修理、追加、並び替え、一部撤去等の状態変更を行う場合には、この状態変更に適した側のプレート止石板を外して状態変更を行い、状態変更を行った後に再び収納部挿入口をプレート止石板で塞ぐ。
つまり、状態変更が必要な場合、差込式墓誌は、状態変更に適した側のプレート止石板（軽い）を外して墓誌プレートを抜き差しすれば良いので、容易に変更作業を行うことができる。
【０００８】
〔請求項２について〕
墓誌下駄（二基）は、凹状の受部を有し、墓誌台の左右に載置される。
墓誌板（板状）は、墓誌板下部を各受部に嵌合し、二基の墓誌下駄により支持される。  墓誌板下方の板表面および板裏面に、それぞれ背面および前面を固着した断面Ｌ字状のレール石板（二枚）は、Ｌ字内側を墓誌プレートの保持部としている。
屋根石は、溝幅が墓誌板の板厚より幅広の下向凹溝を下面に設け、この下向凹溝内に墓誌板の上部を遊嵌している。
【０００９】
墓誌プレート（板状）は、墓誌板の上縁端部表面と下向凹溝内壁面との間の前側上隙間と、墓誌板の下縁端部表面と保持部垂直面との間の前側下隙間とにより形成される前側プレート収納部、および墓誌板の上縁端部裏面と下向凹溝内壁面との間の後側上隙間と、墓誌板の下縁端部裏面と保持部垂直面との間の後側下隙間とにより形成される後側プレート収納部へ、前側収納部挿入口または後側収納部挿入口から差し込まれる。
左右の前側収納部挿入口および左右の後側収納部挿入口は、前側プレート収納部および後側プレート収納部へ墓誌プレートを差し込んだ後、四枚のプレート止石板により塞がれる。
【００１０】
墓誌プレートの破損修理、追加、並び替え、一部撤去等の状態変更を行う場合には、この状態変更に適した位置のプレート止石板を外して状態変更を行い、状態変更を行った後に再び、前側収納部挿入口または後側収納部挿入口をプレート止石板で塞ぐ。
つまり、状態変更が必要な場合、差込式墓誌は、状態変更に適した位置のプレート止石板（軽い）を外して墓誌プレートを抜き差しすれば良いので、容易に変更作業を行うことができる。
また、この差込式墓誌は、墓誌板の表側に前側プレート収納部を設け、裏側に後側プレート収納部を設けているので、墓誌プレートの多数配置が可能である。
【００１１】
〔請求項３について〕
墓誌下駄（二基）は、凹状の受部を有し、墓誌台の左右に載置される。
墓誌板（板状）は、板表面の中央に凹溝を横設するとともに、下部を各受部に嵌合し、二基の墓誌下駄に支持される。
下方レール石板（断面Ｌ字状）は、墓誌板下方の板表面に背面を固着し、Ｌ字内側を墓誌プレートの保持部としている。
中央レール石板（断面Ｔ字状）は、墓誌板中央の凹溝に柱状部を嵌合し、Ｔ字内側を墓誌プレートの保持部としている。
上方レール石板（断面Ｌ字状）は、墓誌板上面に天板下面を当接し、Ｌ字内側を墓誌プレートの保持部としている。
【００１２】
屋根石は、上方レール石板の天板上面に載置される。
墓誌プレート（板状）は、墓誌板の上縁端部表面と上方レール石板の保持部垂直面との間の上段上隙間と、墓誌板表面と中央レール石板の保持部上側垂直面との間の上段下隙間とにより形成される上段側プレート収納部、および墓誌板表面と中央レール石板の保持部下側垂直面との間の下段上隙間と、墓誌板の下縁端部表面と下方レール石板の保持部垂直面との間の下段下隙間とにより形成される下段側プレート収納部へ、上段側収納部挿入口または下段側収納部挿入口から差し込まれる。
左右の上段側収納部挿入口または左右の下段側収納部挿入口は、上段側プレート収納部および下段側プレート収納部へ墓誌プレートを差し込んだ後、四枚のプレート止石板により塞がれる。
【００１３】
墓誌プレートの破損修理、追加、並び替え、一部撤去等の状態変更を行う場合には、この状態変更に適した位置のプレート止石板を外して状態変更を行い、状態変更を行った後に再び、上段側収納部挿入口または下段側収納部挿入口をプレート止石板で塞ぐ。
つまり、状態変更が必要な場合、差込式墓誌は、状態変更に適した位置のプレート止石板（軽い）を外して墓誌プレートを抜き差しすれば良いので、容易に変更作業を行うことができる。
また、この差込式墓誌は、墓誌板の上段に上段側プレート収納部を設け、下段に下段側プレート収納部を設けているので、墓誌プレートの多数配置が可能である。
【発明を実施するための最良の形態】
【００１４】
差込式墓誌は、凹状の受部を有し、墓誌台の左右に固着される二基の墓誌下駄と、下部を各受部に嵌め込まれて固定される矩形平板状の墓誌板と、墓誌板下方の板表面に背面を固着し、Ｌ字内側を保持部とした断面Ｌ字状のレール石板と、下面に設けた下向凹溝内に墓誌板の上部を嵌め込み、墓誌板上面に固着される屋根石と、墓誌板の上縁端部表面と下向凹溝内壁面との間の上隙間と、墓誌板の下縁端部表面と保持部垂直面との間の下隙間とにより形成されるプレート収納部へ、収納部挿入口から差し込まれる平板状の墓誌プレートと、左右の収納部挿入口を塞ぐ二枚のプレート止石板とからなる。
【００１５】
そして、墓誌プレートの破損修理、追加、並び替え、一部撤去等の状態変更を行う場合には、この状態変更に適した側のプレート止石板を取り外して状態変更を行い、状態変更を行った後に再びプレート止石板で塞ぐ。
つまり、状態変更が必要な場合、差込式墓誌は、状態変更に適したプレート止石板（軽い）を脱着して墓誌プレートを抜き差しすれば良いので、容易に変更作業を行うことができる。
【実施例１】
【００１６】
本発明の実施例１（請求項１に対応）を図１〜図４に基づいて説明する。
図に示す如く、差込式墓誌Ａは、墓誌台１１の左右に固着される墓誌下駄１、１と、墓誌下駄１の受部１２に嵌着される墓誌板２と、レール石板３と、屋根石４と、戒名等を記載した複数枚の墓誌プレート５と、収納部挿入口５０を塞ぐプレート止石板６とを具備する。
【００１７】
墓誌台１１は、直方体形状（Ｗ６６０×Ｄ２３０×Ｈ６０）を呈する花崗岩である。
接着剤（セメントや石材用ボンド）により墓誌台１１に固定される墓誌下駄１、１（花崗岩製）は柱状（Ｗ１００×Ｄ１５０×Ｈ１８０）を呈し、上側角部を複数段に丸めている。この墓誌下駄１の上面には、前部の深さが３０ｍｍ、後部の深さが６０ｍｍ、幅が約４６ｍｍの受部１２が形成されている。
【００１８】
花崗岩製の墓誌板２は矩形平板状（Ｗ４８５×Ｄ４６×Ｈ３７５）を呈し、下部を受部１２、１２に嵌め込み、楔（図示せず）が打ち込まれている。
【００１９】
花崗岩製のレール石板３（Ｗ４８５×Ｄ２７×Ｈ３０）は断面Ｌ字状を呈し、墓誌板下方の板表面に背面３０を接着剤（セメントや石材用ボンド）で固着している。また、石板上側のＬ字内側（内壁高１０ｍｍ、幅１２ｍｍ）を墓誌プレート５の保持部としている。  
【００２０】
花崗岩製の屋根石４（Ｗ４８５×Ｄ７８×Ｈ６０）は、溝幅が墓誌板２の板厚（４６ｍｍ）より幅広の下向凹溝４１（幅５８ｍｍ、深さ１０ｍｍ）を下面に設けている。
この屋根石４は、下向凹溝４１に墓誌板上部が嵌め込まれ、接着剤（セメントや石材用ボンド）により、墓誌板上面に凹溝下面が固定される。
【００２１】
花崗岩で形成される墓誌プレート５（Ｗ８５×Ｄ１０×Ｈ３０５）は、矩形平板状を呈し、故人の戒名以外に、故人の経歴、生前の顔写真や似顔絵が描かれている。
この墓誌プレート５は、墓誌板２の上縁端部表面２１と下向凹溝内壁面４２との間の上隙間４３と、墓誌板２の下縁端部表面２２と保持部垂直面３１との間の下隙間３２とにより形成されるプレート収納部５１へ、収納部挿入口５０から差し込まれる。
左右の収納部挿入口５０を塞ぐプレート止石板６、６（Ｗ３０×Ｄ１０×Ｈ３０５）は、矩形平板状を呈し、花崗岩で形成されている。
【００２２】
本実施例の差込式墓誌Ａは、状態変更を以下の様にして行う。なお、状態変更とは、破損した墓誌プレート５の交換、墓誌プレート５の追加、墓誌プレート５の並び替え、または一部の墓誌プレート５の撤去である。
【００２３】
先ず、上記状態変更に適した側のプレート止石板６を、固定している楔を抜いて外す。  墓誌プレート５の交換、並び替え、撤去の場合には、該当する１枚または複数枚の墓誌プレート５をスライドさせて収納部挿入口５０から取り出し、１枚または複数枚の墓誌プレート５を収納部挿入口５０からプレート収納部５１へ差し込む。また、墓誌プレート５の追加の場合には、追加する１枚または新旧の墓誌プレート５を収納部挿入口５０からプレート収納部５１へ差し込む。
つぎに、外したプレート止石板６を収納部挿入口５０に差し込み、楔で固定する。
【００２４】
本実施例の差込式墓誌Ａは、以下の利点を有する。
［あ］墓誌プレート５の追加や交換を行う場合には、新しい墓誌プレート５を石屋の作業所で制作し、これを差込式墓誌Ａを設置した現場に持って行き、楔を抜いて状態変更に適した側のプレート止石板６を１枚外して墓誌プレート５を抜いて差し込み、楔を再び打ち込んで収納部挿入口５０にプレート止石板６を固定するだけで良い。
また、墓誌プレート５の並べ替えや一部を撤去する場合には、楔を抜いて状態変更に適した側のプレート止石板６を１枚外して墓誌プレート５を取り出し、墓誌プレート５を収納部挿入口５０からプレート収納部５１内へ新しい並び順に差し込み、楔を打って再び収納部挿入口５０へプレート止石板６を固定するだけで良い。
【００２５】
このため、差込式墓誌Ａを採用すれば、お墓に設置してある墓誌を石屋の作業場へ運んで彫り込み作業をする必要がないので、労力が少なくて済み、手間がかからず、短時間で作業を完了（作業代金が安価）することができる。
なお、従来の墓誌は、戒名等を直接、墓誌板（石製）に彫り込んでいたので、墓誌を重機等で石屋の作業場へ運ぶ必要があり、労力や手間がかかり、長い作業日数が必要（作業代金が高価）である。
【００２６】
［い］差込式墓誌Ａは、墓誌プレート５の状態変更を行う場合に、大重量の、墓誌台１１、墓誌下駄１、墓誌板２、レール石板３、および屋根石４を動かす必要がない。
墓誌プレート５やプレート止石板６は比較的軽いので、一人の作業者で作業をすることができる。なお、変更作業を行う作業者（女性でも作業可能）は、石屋以外に、お墓の管理者、お坊さん、親戚、遺族等であっても良い。
【００２７】
［う］差込式墓誌Ａは、全体のサイズや各部の寸法を自由に決めることができるので、お墓に容易に設置することができる。また、狭い場所であっても設置が可能である。
【００２８】
［え］差込式墓誌Ａは、収納部挿入口５０からプレート収納部５１内へ、最大五枚の墓誌プレート５を収納することができる。
【実施例２】
【００２９】
つぎに、本発明の実施例２（請求項２に対応）を図５〜図８に基づいて説明する。
図に示す如く、差込式墓誌Ｂは、墓誌台１１の左右に固着される墓誌下駄１、１と、墓誌下駄１の受部１２に嵌着される墓誌板２と、レール石板３、３と、屋根石４と、戒名等を記載した複数枚の墓誌プレート５と、前側収納部挿入口５０ａ、後側収納部挿入口５０ｂを塞ぐプレート止石板６とを具備する。
【００３０】
墓誌台１１は、直方体形状（Ｗ６６０×Ｄ２３０×Ｈ６０）を呈する花崗岩である。
接着剤（セメントや石材用ボンド）により墓誌台１１に固定される墓誌下駄１、１（花崗岩製）は柱状（Ｗ１００×Ｄ１５０×Ｈ１８０）を呈し、上側角部を複数段に丸めている。この墓誌下駄１の上面には、深さが３０ｍｍ、幅が約４６ｍｍの受部１２が形成されている。
【００３１】
花崗岩製の墓誌板２は矩形平板状（Ｗ４８５×Ｄ４６×Ｈ３７５）を呈し、下部を受部１２、１２に嵌め込み、楔（図示せず）が打ち込まれている。
【００３２】
墓誌板２の前側に位置するレール石板３（Ｗ４８５×Ｄ２７×Ｈ３０）は、断面Ｌ字状を呈し、墓誌板下方の板表面に背面３０を接着剤（セメントや石材用ボンド）で固着している。また、後側のレール石板３は前面３５を接着剤で固着している。
何方側のレール石板３も、石板上側のＬ字内側（内壁高１０ｍｍ、幅１２ｍｍ）を墓誌プレート５の保持部としている。
【００３３】
花崗岩製の屋根石４（Ｗ４８５×Ｄ７８×Ｈ６０）は、溝幅が墓誌板２の板厚（４６ｍｍ）より幅広の下向凹溝４１（幅７０ｍｍ、深さ１０ｍｍ）を下面に設けている。
この屋根石４は、下向凹溝４１に墓誌板上部が嵌め込まれ、接着剤（セメントや石材用ボンド）により、墓誌板上面に凹溝下面が固定される。
【００３４】
花崗岩で形成される墓誌プレート５（Ｗ８５×Ｄ１０×Ｈ３０５）は、矩形平板状を呈し、故人の戒名以外に、故人の経歴、生前の顔写真や似顔絵が描かれている。
この墓誌プレート５は、墓誌板２の上縁端部表面２１と下向凹溝内壁面４２との間の前側上隙間４４と、墓誌板２の下縁端部表面２２と保持部垂直面３１との間の前側下隙間３３とにより形成される前側プレート収納部５２、および墓誌板２の上縁端部裏面２３と下向凹溝内壁面４２との間の後側上隙間４５と、墓誌板２の下縁端部裏面２４と保持部垂直面３１との間の後側下隙間３４とにより形成される後側プレート収納部５３へ、前側収納部挿入口５０ａおよび後側収納部挿入口５０ｂから差し込まれる。
【００３５】
左右の前側収納部挿入口５０ａおよび左右の後側収納部挿入口５０ｂを塞ぐプレート止石板６、６（Ｗ３０×Ｄ１０×Ｈ３０５）は、矩形平板状を呈し、花崗岩で形成されている。
【００３６】
本実施例の差込式墓誌Ｂは、状態変更を以下の様にして行う。なお、状態変更とは、破損した墓誌プレート５の交換、墓誌プレート５の追加、墓誌プレート５の並び替え、または一部の墓誌プレート５の撤去である。
【００３７】
先ず、上記状態変更に適した位置のプレート止石板６を、固定している楔を抜いて外す。
墓誌プレート５の交換、並び替え、撤去の場合には、該当する１枚または複数枚の墓誌プレート５をスライドさせて前側収納部挿入口５０ａまたは後側収納部挿入口５０ｂから取り出し、１枚または複数枚の墓誌プレート５を前側収納部挿入口５０ａまたは後側収納部挿入口５０ｂから前側プレート収納部５２または後側プレート収納部５３へ差し込む。また、墓誌プレート５の追加の場合には、追加する１枚または新旧の墓誌プレート５を前側収納部挿入口５０ａまたは後側収納部挿入口５０ｂから前側プレート収納部５２または後側プレート収納部５３へ差し込む。
つぎに、外したプレート止石板６を前側収納部挿入口５０ａまたは後側収納部挿入口５０ｂに差し込み、楔で固定する。
【００３８】
本実施例の差込式墓誌Ｂは、以下の利点を有する。
［お］墓誌プレート５の追加や交換を行う場合には、新しい墓誌プレート５を石屋の作業所で制作し、これを差込式墓誌Ｂを設置した現場に持って行き、楔を抜いて状態変更に適した位置のプレート止石板６を１枚外して墓誌プレート５を抜いて差し込み、楔を再び打ち込んで前側収納部挿入口５０ａまたは後側収納部挿入口５０ｂにプレート止石板６を固定するだけで良い。
【００３９】
また、墓誌プレート５の並べ替えや一部を撤去する場合には、楔を抜いて状態変更に適した位置のプレート止石板６を１枚外して墓誌プレート５を取り出し、墓誌プレート５を前側収納部挿入口５０ａまたは後側収納部挿入口５０ｂから前側プレート収納部５２または後側プレート収納部５３内へ新しい並び順に差し込み、楔を打って再び前側収納部挿入口５０ａまたは後側収納部挿入口５０ｂへプレート止石板６を固定するだけで良い。
【００４０】
このため、差込式墓誌Ｂは、お墓に設置してある墓誌を石屋の作業場へ運んで彫り込み作業をする必要がないので、労力が少なくて済み、手間がかからず、短時間で作業を完了（作業代金が安価）することができる。
なお、従来の墓誌は、戒名等を直接、墓誌板（石製）に彫り込んでいたので、墓誌を重機等で石屋の作業場へ運ぶ必要があり、労力や手間がかかり、長い作業日数が必要（作業代金が高価）である。
【００４１】
［か］差込式墓誌Ｂは、墓誌プレート５の状態変更を行う場合に、大重量の、墓誌台１１、墓誌下駄１、墓誌板２、レール石板３、および屋根石４を動かす必要がない。
墓誌プレート５やプレート止石板６は比較的軽いので、一人の作業者で作業をすることができる。なお、変更作業を行う作業者（女性でも作業可能）は、石屋以外に、お墓の管理者、お坊さん、親戚、遺族等であっても良い。
【００４２】
［き］差込式墓誌Ｂは、全体のサイズや各部の寸法を自由に決めることができるので、お墓に容易に設置することができる。また、狭い場所であっても設置が可能である。
【００４３】
［く］差込式墓誌Ｂは、前側収納部挿入口５０ａおよび後側収納部挿入口５０ｂから前側プレート収納部５２および後側プレート収納部５３内へ、合計で、最大十枚の墓誌プレート５を収納することができる。
【実施例３】
【００４４】
つぎに、本発明の実施例３（請求項３に対応）を図９〜図１２に基づいて説明する。
図に示す如く、差込式墓誌Ｃは、墓誌台１３の左右に固着される墓誌下駄１４、１４と、墓誌下駄１４の受部１５に嵌着される墓誌板７と、レール石板８１、８２、８３と、屋根石４６と、戒名等を記載した複数枚の墓誌プレート５４と、左右の上段側収納部挿入口７１および下段側収納部挿入口７２を塞ぐプレート止石板６１とを具備する。
【００４５】
墓誌台１３（Ｗ７２０×Ｄ２８０×Ｈ６０）は、平板状を呈する断面長方形の花崗岩である。
柱状を呈し前後の角を二段に丸めた墓誌下駄１４、１４（Ｗ１００×Ｄ２２０×Ｈ１５０）は、墓誌台１３の左右に載置されている。この墓誌下駄１４、１４は花崗岩で形成され、墓誌板７の板厚に略等しい凹状の受部１５、１５（幅７０ｍｍ、深さ３０ｍｍ）を上面に形成している。
【００４６】
矩形平板状を呈し、墓誌下駄１４、１４の受部１５に板下部を嵌設した墓誌板７（Ｗ６０５×Ｄ７０×Ｈ５８０）は花崗岩で形成され、板表面の中央に凹溝７３（幅３０ｍｍ、深さ２０ｍｍ）を横設している。
【００４７】
断面Ｌ字状を呈するレール石板８１（下方レール石板）は、花崗岩で形成され、墓誌板下方の板表面に背面８１ａを固着し、Ｌ字内側を墓誌プレート５４の保持部としている。  断面Ｔ字状を呈するレール石板８２（中央レール石板）は、花崗岩で形成され、墓誌板中央の凹溝７３に柱状部８２ａを嵌め込み、接着剤（セメントや石材用ボンド）で固着している。また、Ｔ字内側を各墓誌プレート５４の保持部としている。
断面Ｌ字状を呈するレール石板８３（上方レール石板）は、花崗岩で形成され、墓誌板上面７４に天板下面８３ａを当接し接着剤（セメントや石材用ボンド）で固着している。また、Ｌ字内側を墓誌プレート５４の保持部としている。
【００４８】
屋根の形をした屋根石４６（Ｗ７２０×Ｄ１５０×Ｈ８５）は花崗岩で形成され、レール石板８３の天板上面８３ｂに、接着剤（セメントや石材用ボンド）により固着されている。
【００４９】
墓誌プレート５４（Ｗ７７．８×Ｄ１０×Ｈ２４５）は花崗岩で形成され、矩形平板状を呈し、故人の戒名以外に、故人の経歴、生前の顔写真や似顔絵が描かれている。
これら墓誌プレート５４は、墓誌板７の上縁端部表面７５とレール石板８３の保持部垂直面８３ｃとの間の上段上隙間８３ｄと、墓誌板表面とレール石板８２の保持部上側垂直面８２ｂとの間の上段下隙間８２ｃとにより形成される上段側プレート収納部５５、および墓誌板表面とレール石板８２の保持部下側垂直面８２ｄとの間の下段上隙間８２ｅと、墓誌板７の下縁端部表面７６とレール石板８１の保持部垂直面８１ｂとの間の下段下隙間８１ｃとにより形成される下段側プレート収納部５６へ、上段側収納部挿入口７１または下段側収納部挿入口７２から挿入される。
【００５０】
左右の上段側収納部挿入口７１および左右の下段側収納部挿入口７２を塞ぐプレート止石板６１、６１（Ｗ３０×Ｄ１０×Ｈ２２５）は、矩形平板状を呈し、花崗岩で形成されている。
【００５１】
本実施例の差込式墓誌Ｃは、状態変更を以下の様にして行う。なお、状態変更とは、破損した墓誌プレート５４の交換、墓誌プレート５４の追加、墓誌プレート５４の並び替え、または一部の墓誌プレート５４の撤去である。
【００５２】
先ず、状態変更に適した位置のプレート止石板６１を、固定している楔を抜いて外す。  墓誌プレート５４の交換、並び替え、撤去の場合には、該当する１枚または複数枚の墓誌プレート５４をスライドさせて、左右の上段側収納部挿入口７１または左右の下段側収納部挿入口７２から取り出し、１枚または複数枚の墓誌プレート５４を上段側収納部挿入口７１または下段側収納部挿入口７２から、上段側プレート収納部５５または下段側プレート収納部５６内へ差し込む。
【００５３】
また、墓誌プレート５４を追加する場合には、追加する１枚または新旧の複数枚の墓誌プレート５４を、上段側収納部挿入口７１または下段側収納部挿入口７２から、上段側プレート収納部５５または下段側プレート収納部５６内へ差し込む。
つぎに、外したプレート止石板６１を上段側収納部挿入口７１または下段側収納部挿入口７２へ嵌め込み、楔を打ち込んで固定する。
【００５４】
本実施例の差込式墓誌Ｃは、以下の利点を有する。
［け］墓誌プレート５４の追加や交換を行う場合には、新しい墓誌プレート５４を石屋の作業所で制作し、これを差込式墓誌Ｃを設置した現場に持って行き、楔を抜いて状態変更に適した位置のプレート止石板６１を１枚外して墓誌プレート５４を抜いて差し込み、楔を再び打ち込んで、上段側収納部挿入口７１または下段側収納部挿入口７２へプレート止石板６１を固定するだけで良い。
【００５５】
また、墓誌プレート５４の並べ替えや一部を撤去する場合には、楔を抜き状態変更に適した位置のプレート止石板６１を１枚外して墓誌プレート５４を取り出し、墓誌プレート５４を上段側収納部挿入口７１または下段側収納部挿入口７２から上段側プレート収納部５５または下段側プレート収納部５６内へ差し込み、再び楔を打ち込んでプレート止石板６１を固定するだけで良い。
【００５６】
このため、お墓に設置してある墓誌を石屋の作業場へ運んで彫り込み作業をする必要がないので、労力が少なくて済み、手間がかからず、短時間で作業を完了（作業代金が安価）することができる。
なお、従来の墓誌は、戒名等を直接、墓誌板（石製）に彫り込んでいたので、墓誌を重機等で石屋の作業場へ運ぶ必要があり、労力や手間がかかり、長い作業日数が必要（作業代金が高価）である。
【００５７】
［こ］墓誌プレート５４の状態変更を行う場合に、大重量の、墓誌台１３、墓誌下駄１４、１４、墓誌板７、および屋根石４６を動かす必要がない。
墓誌プレート５４やプレート止石板６１は比較的軽いので、一人の作業者で作業をすることができる。なお、変更作業を行う作業者（女性でも作業可能）は、石屋以外に、お墓の管理者、お坊さん、親戚、遺族等であっても良い。
【００５８】
［さ］差込式墓誌Ｃは、上段側収納部挿入口７１または下段側収納部挿入口７２から墓誌プレート５４を差し込み、上段側プレート収納部５５および下段側プレート収納部５６内に、最大、十四枚、収納することができる。また、収納が上下二段であるので、収納した墓誌プレート５４の内容を墓参人らが視認し易い。
【００５９】
本発明は、上記実施例以外に、以下の実施態様を含む。
ａ．上記実施例では、プレート止石板の固定に楔を用いているが、ナットを墓誌板に埋め込んでおき、プレート止石板に開けた連通穴を介してボルトをナットに捩じ込んで固定する構成であっても良い。また、ボルトは、通常のネジ以外に、六角レンチで回すタイプのネジ、トルクスドライバーで回すネジ等であっても良い。
【００６０】
ｂ．差込式墓誌に用いる石は、花崗岩以外に、大理石等の石であっても良い。また、セラミック等の人工の石を用いても良い。
【図面の簡単な説明】
【００６１】
【図１】本発明の実施例１に係る差込式墓誌であって、収納部挿入口から墓誌プレートをプレート収納部内へ差し込むところを示す斜視図である。
【図２】実施例１に係る差込式墓誌の正面図である。
【図３】実施例１に係る差込式墓誌の側面図である。
【図４】実施例１に係る差込式墓誌の上面図である。
【図５】本発明の実施例２に係る差込式墓誌であって、前側収納部挿入口および後側収納部挿入口から墓誌プレートを、前側プレート収納部および後側プレート収納部内へ差し込むところを示す斜視図である。
【図６】実施例２に係る差込式墓誌の正面図である。
【図７】実施例２に係る差込式墓誌の側面図である。
【図８】実施例２に係る差込式墓誌の上面図である。
【図９】本発明の実施例３に係る差込式墓誌であって、上段側収納部挿入口および下段側収納部挿入口から墓誌プレートを、上段側プレート収納部および下段側プレート収納部内へ差し込むところを示す斜視図である。
【図１０】実施例３に係る差込式墓誌の正面図である。
【図１１】実施例３に係る差込式墓誌の側面図である。
【図１２】実施例３に係る差込式墓誌の上面図である。
【符号の説明】
【００６２】
Ａ、Ｂ、Ｃ  差込式墓誌
１  墓誌下駄
２  墓誌板
３  レール石板
４  屋根石
５  墓誌プレート
６  プレート止石板
７  墓誌板
１１  墓誌台
１２  受部
１３  墓誌台
１４  墓誌下駄
１５  受部
２１  上縁端部表面（板表面）
２２  下縁端部表面（板表面）
２３  上縁端部裏面（板裏面）
２４  下縁端部裏面（板裏面）
３０  背面
３１  保持部垂直面
３２  下隙間
３３  前側下隙間
３４  後側下隙間
３５  前面
４１  下向凹溝
４２  下向凹溝内壁面
４３  上隙間
４４  前側上隙間
４５  後側上隙間
４６  屋根石
５０  収納部挿入口
５０ａ  前側収納部挿入口
５０ｂ  後側収納部挿入口
５１  プレート収納部
５２  前側プレート収納部
５３  後側プレート収納部
５４  墓誌プレート
５５  上段側プレート収納部
５６  下段側プレート収納部
６１  プレート止石板
７１  上段側収納部挿入口
７２  下段側収納部挿入口
７５  上縁端部表面
７６  下縁端部表面
８１  レール石板（下方レール石板）
８１ａ  背面
８１ｂ  保持部垂直面
８１ｃ  下段下隙間
８２  レール石板（中央レール石板）
８２ｂ  保持部上側垂直面
８２ｃ  上段下隙間
８２ｄ  保持部下側垂直面
８２ｅ  下段上隙間
８３  レール石板（上方レール石板）
８３ａ  天板下面
８３ｃ  保持部垂直面
８３ｄ  上段上隙間
【図１】
2006183348.tif 000003
【図２】
2006183348.tif 000004
【図３】
2006183348.tif 000005
【図４】
2006183348.tif 000006
【図５】
2006183348.tif 000007
【図６】
2006183348.tif 000008
【図７】
2006183348.tif 000009
【図８】
2006183348.tif 000010
【図９】
2006183348.tif 000011
【図１０】
2006183348.tif 000012
【図１１】
2006183348.tif 000013
【図１２】
2006183348.tif 000014